(57)【要約】    【課題】      無線携帯端末に必要となる通信前の通信制御情報の設定を、いつでも、どこでも、安全に、かつ簡単に行えるようにすること。    【解決手段】  通信設定手段１２０は、ＷＬＡＮ端末１００を載置して支持させるだけで通信と充電とが行えるいわゆるクレードル（ｃｒａｄｌｅ）として機能する要素を含み、載置されたＷＬＡＮ端末１００に給電する機能と、ＷＬＡＮ端末１００への給電開始をトリガとして、当該ＷＬＡＮ端末１００についての認証を必要に応じて認証サーバ１１０を利用しつつ行う機能と、認証を成功した場合にＷＬＡＮ端末１００が通信制御を行うのに必要な各種の通信制御情報を自動的にＷＬＡＮ端末１００に転送する機能とを備えている。  【選択図】      図１
2006135874.tif 000002
【特許請求の範囲】
【請求項１】
無線携帯端末を載置して支持させるだけで通信と充電とが行えるようにする機能と、載置された無線携帯端末に給電する機能と、無線携帯端末への給電開始をトリガとして、当該無線携帯端末について認証を行う機能と、認証を成功した場合に当該無線携帯端末が通信制御を行うのに必要な各種の通信制御情報を自動的に前記無線携帯端末に転送する機能とを備えている通信設定手段、を具備することを特徴とする無線携帯端末の通信制御情報設定システム。
【請求項２】
前記通信設定手段は、設定した前記通信制御情報を一定時間経過後に削除する機能、を具備することを特徴とする請求項１記載の無線携帯端末の通信制御情報設定システム。
【請求項３】
前記無線携帯端末は、充電ポートと通信ポートとを兼ねる第１の接合部を具備し、前記通信設定手段は、通信ネットワーク上に配置され前記通信ネットワークにアクセスする無線携帯端末に設定すべき通信制御情報を保持する第１の機器と、前記第１の機器に有線接続され、載置された無線携帯端末の前記第１の接合部と接触接合する第２の接合部と、前記第２の接合部を介して前記無線携帯端末に充電する機能及び前記無線携帯端末と通信する機能とを有する第２の機器と、を具備することを特徴とする請求項１又は請求項２に記載の無線携帯端末の通信制御情報設定システム。
【請求項４】
前記第２の機器は、載置された無線携帯端末への充電機能の他に前記無線携帯端末と前記第１の機器との間の通信を中継する機能が付加された充電器である、ことを特徴とする請求項３記載の無線携帯端末の通信制御情報設定システム。
【請求項５】
前記第２の機器は、載置された無線携帯端末の充電開始を前記第２の接合部を介して検出する機能と、検出した前記充電開始に応答して前記無線携帯端末の識別情報を前記第２の接合部を介して取得する機能と、取得した前記無線携帯端末の識別情報を前記第１の機器に転送する機能と、前記第１の機器から送られてくる通信制御情報を前記第２の接合部を介して前記無線携帯端末に転送して設定する機能と、を具備することを特徴とする請求項３記載の無線携帯端末の通信制御情報設定システム。
【請求項６】
前記第２の機器は、アクセスポイント、または、アクセスポイントから無線通信機能を省いた設定ポートである、ことを特徴とする請求項５記載の無線携帯端末の通信制御情報設定システム。
【請求項７】
前記第１の機器は、認証機能を備えたスイッチであり、認証できたとき通信制御情報を前記第２の機器に転送する、ことを特徴とする請求項３記載の無線携帯端末の通信制御情報設定システム。
【請求項８】
前記アクセスポイントは、認証機能を備え、認証できた場合に新たな識別子や暗号鍵を設定する機能、を具備することを特徴とする請求項６記載の無線携帯端末の通信制御情報設定システム。
【請求項９】
前記無線携帯端末は、充電ポートと通信ポートとを兼ねる第１の接合部を具備し、前記通信設定手段は、通信ネットワーク上に配置されるスイッチであって、前記通信ネットワークにアクセスする無線携帯端末に設定すべき通信制御情報を保持するとともに、載置された無線携帯端末の前記第１の接合部と接触接合する第２の接合部と、前記第２の接合部を介して前記無線携帯端末に充電する機能及び前記無線携帯端末と通信する機能とを有するアクセスポイントを収容し、前記無線携帯端末への通信制御情報の設定が終了した後は、前記アクセスポイントを介さずにアドホックモードによる通信を可能にするスイッチである、ことを特徴とする請求項１又は請求項２に記載の無線携帯端末の通信制御情報設定システム。
【発明の詳細な説明】
【技術分野】
【０００１】
本発明は、無線携帯端末の通信制御情報を事前に設定する無線携帯端末の通信制御情報設定システムに関する。
【背景技術】
【０００２】
図１３は、無線ＬＡＮシステムの一般的な構成例を示すシステム図である。図１３において、無線ＬＡＮシステムのネットワーク１３０１には、多数のアクセスポイント１３０２が設けられている。この多数のアクセスポイント１３０２に無線接続する無線ＬＡＮ端末には、充電台１３０３に載置して充電を必要とする無線ＬＡＮ携帯端末１３０４や無線ＬＡＮカード搭載のパソコン１３０５などがある。また、ネットワーク１３０１上には、認証サーバ１３０６が配置されている。
【０００３】
なお、特許文献１では、クレードルとして機能する充電器を経由して情報を送受信する技術が開示されている。
【０００４】
ところで、無線ＬＡＮシステムでの接続処理や通信処理などは、ＩＥＥＥ８０２．１１にて標準化されているが、無線ＬＡＮ端末が当該無線ＬＡＮシステムのネットワーク１３０１にアクセスしてデータ通信等を行うためには、無線ＬＡＮ端末では、無線通信を行う前に、アクセスポイントとの通信制御に必要な通信制御情報を自端末に設定して置く必要がある。
【０００５】
この通信制御情報には、アクセスポイントのグループ識別子ＥＳＳＩＤ、無線通信チャネル、伝送レート、アクセスポイントとの間で暗号通信するための暗号鍵（例えば、ＷＥＰキーなど）などが含まれている。
【０００６】
従来では、無線ＬＡＮ端末のユーザは、上記した通信制御情報を手動で入力していた。ところが、この通信制御情報は、無線ＬＡＮ端末の機種、使用場所、時期などによってセキュリティ上変更することが多いので、その設定操作は、煩わしいものになっている。したがって、設定するにあたって誤入力が不可避であることを想定すると、設定方法の簡略化が必要となる。
【０００７】
また、特に暗号化に関しては、無線ＬＡＮ端末に通信データを暗号化するセキュリティ機能が備わっているにも関わらず、実際の運用では暗号化しないので、製品出荷時には、暗号機能が無効になっていることが多い。そのため、ユーザは、購入してから暗号方式や暗号鍵を設定する必要がある。しかも、セキュリティを高めるために暗号化方式が複数実装されている機器が増えているので、そのような機器を購入したユーザは、その複数ある暗号化方式の中から最適な暗号方式を選択し、暗号鍵を設定する必要がある。ユーザにとってこれらの暗号化方式やそれに関わる設定は非常に煩わしいものである。
【０００８】
この問題を解決するため、例えば、非特許文献１では、専用にボタンを押すだけで、暗号通信に必要な鍵を登録するなど、無線ＬＡＮシステムのセキュリティ設定を自動化する技術が提案されている。この技術は、Ａ．Ｏ．Ｓ．Ｓ（AirStation One-Touch Secure System）と称されている。図１４は、非特許文献１に示されるＡ．Ｏ．Ｓ．Ｓによる自動設定を説明するシーケンス図である、以下、図１４を参照してその概要を説明する。なお、図１４では、無線ＬＡＮ携帯端末は、ＷＬＡＮ端末と記している。また、無線ＬＡＮと有線ＬＡＮのブリッジ機能を持つアクセスポイントは、ＡＰと略記している場合が多い。
【０００９】
図１４において、このＡ．Ｏ．Ｓ．Ｓ技術では、アクセスポイント（ＡＰ）やＷＬＡＮ端末には、Ａ．Ｏ．Ｓ．Ｓ用の専用ボタンが取り付けられている。ユーザがアクセスポイント（ＡＰ）のＡ．Ｏ．Ｓ．Ｓ用ボタンを押下すると（手順Ｔ１４０１）、アクセスポイント（ＡＰ）は、電波出力を下げた微弱電波を出力し続け、Ａ．Ｏ．Ｓ．Ｓで設定するＷＬＡＮ端末からの設定要求信号を待ち受ける状態となる（手順Ｔ１４０２）。
【００１０】
一方、ＷＬＡＮ端末では、ユーザがＡ．Ｏ．Ｓ．Ｓ用ボタンを押下すると（手順Ｔ１４０３）、近くに居るＡ．Ｏ．Ｓ．Ｓ待ち受け状態のアクセスポイント（ＡＰ）を検索する（手順Ｔ１４０４）。Ａ．Ｏ．Ｓ．Ｓ待ち受け状態のアクセスポイント（ＡＰ）は、検索しているＷＬＡＮ端末を検出すると、その旨をその検索しているＷＬＡＮ端末に通知する（手順Ｔ１４０５）。
【００１１】
検出通知を受けたＷＬＡＮ端末は、自ＷＬＡＮ端末が対応している暗号方式の種類などの情報をアクセスポイント（ＡＰ）に送る（手順Ｔ１４０６）。これを受信したアクセスポイント（ＡＰ）は、双方が使用できる最適な暗号方式を選択し（手順Ｔ１４０７）、暗号鍵などの情報とともに、ＷＬＡＮ端末に通知する（手順Ｔ１４０８）。これを受けてＷＬＡＮ端末では、通信設定の更新を行う（手順Ｔ１４０９）。その後は、アクセスポイント（ＡＰ）やＷＬＡＮ端末では、これらの情報を元に自身の設定を自動的に変更する。
【００１２】
このＡ．Ｏ．Ｓ．Ｓ技術では、暗号鍵を始めとする各種の情報をアクセスポイントとＷＬＡＮ端末間の無線通信を用いて交換するが、Ａ．Ｏ．Ｓ．Ｓボタンの押下によって開始したＡ．Ｏ．Ｓ．Ｓ動作中ではアクセスポイントは電波出力を下げ、一定時間経過すると自動的にＡ．Ｏ．Ｓ．Ｓモードから通常状態に戻るようになっている。したがって、悪意のあるユーザが暗号鍵を盗み見し、不正利用を企てるとしても、短い期間に電波が届く範囲でＡ．Ｏ．Ｓ．Ｓモードに対応する必要があるので、限られた条件でしかアクセスポイントの乗っ取りなどはできないことになる。
【特許文献１】特開２００３−１３１７５７号公報
【非特許文献１】日経ＮＥＴＷＯＲＫ  ２００４年１月号『ワンタッチでカンタン自動設定！無線ＬＡＮ＆セキュリティ設定に「Ａ．Ｏ．Ｓ．Ｓ」！』
【発明の開示】
【発明が解決しようとする課題】
【００１３】
しかしながら、Ａ．Ｏ．Ｓ．Ｓ技術では、Ａ．Ｏ．Ｓ．Ｓを実行するために、アクセスポイント及び無線ＬＡＮ端末の双方にＡ．Ｏ．Ｓ．Ｓ専用ボタンを設ける必要がある。ユーザは、両装置の専用ボタンを操作しなければならない。
【００１４】
また、アクセスポイントは、Ａ．Ｏ．Ｓ．Ｓ動作中には電波出力を下げるが、このアクセスポイントは、オフィス内など複数の正規ユーザで共用しているので、データ転送との並行作業ができず、また電波干渉の問題が発生する可能性がある。
【００１５】
加えて、Ａ．Ｏ．Ｓ．Ｓ機能を実装した装置のボタンを押せば、任意の端末がどこででも設定情報を受信でき、無線ＬＡＮ通信ができてしまうので、セキュリティの面で問題である。そのため、例えば、社内で使用する場合に、ユーザが正規社員の場合は、通信データをネットワーク上に流すことが許されるが、社外や悪意のあるユーザの場合は、通信できないようにする措置が必要である。
【００１６】
本発明は、かかる点に鑑みてなされたものであり、無線携帯端末に必要となる通信前の通信制御情報の設定を、いつでも、どこでも、安全に、かつ簡単に行える無線携帯端末の通信制御情報設定システムを提供することを目的とする。
【課題を解決するための手段】
【００１７】
かかる課題を解決するため本発明に係る無線携帯端末の通信制御情報設定システムは、無線携帯端末を載置して支持させるだけで通信と充電とが行えるようにする機能と、載置された無線携帯端末に給電する機能と、無線携帯端末への給電開始をトリガとして、当該無線携帯端末について認証を行う機能と、認証を成功した場合に当該無線携帯端末が通信制御を行うのに必要な各種の通信制御情報を自動的に前記無線携帯端末に転送する機能とを備えている通信設定手段を具備する構成を採る。
【００１８】
この構成によれば、無線携帯端末に必要となる通信前の通信制御情報の設定を、いつでも、どこでも、安全に、かつ簡単に行えるようになる。
【００１９】
本発明に係る無線携帯端末の通信制御情報設定システムは、上記の発明において、前記通信設定手段は、設定した前記通信制御情報を一定時間経過後に削除する機能を具備する構成を採る。
【００２０】
この構成によれば、ユーザは、定期的な更新をしないと、使用継続ができないようになる。
【００２１】
本発明に係る無線携帯端末の通信制御情報設定システムは、上記の発明において、前記無線携帯端末は、充電ポートと通信ポートとを兼ねる第１の接合部を具備し、前記通信設定手段は、通信ネットワーク上に配置され前記通信ネットワークにアクセスする無線携帯端末に設定すべき通信制御情報を保持する第１の機器と、前記第１の機器に有線接続され、載置された無線携帯端末の前記第１の接合部と接触接合する第２の接合部と、前記第２の接合部を介して前記無線携帯端末に充電する機能及び前記無線携帯端末と通信する機能とを有する第２の機器とを具備する構成を採る。
【００２２】
この構成によれば、無線携帯端末を第２の機器に載置して接合部同士を接触接合させるだけで、通信制御情報の自動的な設定を受けることができる。
【００２３】
本発明に係る無線携帯端末の通信制御情報設定システムは、上記の発明において、前記第２の機器は、載置された無線携帯端末への充電機能の他に前記無線携帯端末と前記第１の機器との間の通信を中継する機能が付加された充電器であるという構成を採る。
【００２４】
この構成によれば、身近に存する機器の有効活用が図れる。
【００２５】
本発明に係る無線携帯端末の通信制御情報設定システムは、上記の発明において、前記第２の機器は、載置された無線携帯端末の充電開始を前記第２の接合部を介して検出する機能と、検出した前記充電開始に応答して前記無線携帯端末の識別情報を前記第２の接合部を介して取得する機能と、取得した前記無線携帯端末の識別情報を前記第１の機器に転送する機能と、前記第１の機器から送られてくる通信制御情報を前記第２の接合部を介して前記無線携帯端末に転送して設定する機能とを具備する構成を採る。
【００２６】
この構成によれば、ユーザの手を煩わさずに、簡単かつ高いセキュリティを確保して通信制御情報の設定が可能となる。
【００２７】
本発明に係る無線携帯端末の通信制御情報設定システムは、上記の発明において、前記第２の機器は、アクセスポイント、または、アクセスポイントから無線通信機能を省いた設定ポートであるという構成を採る。
【００２８】
この構成によれば、既存の機器の有効活用が図れる。
【００２９】
本発明に係る無線携帯端末の通信制御情報設定システムは、上記の発明において、前記第１の機器は、認証機能を備えたスイッチであり、認証できたとき通信制御情報を前記第２の機器に転送するという構成を採る。
【００３０】
この構成によれば、アクセスポイントに任意の無線携帯端末がアクセスすることができるようになる。
【００３１】
本発明に係る無線携帯端末の通信制御情報設定システムは、上記の発明において、前記アクセスポイントは、認証機能を備え、認証できた場合に新たな識別子や暗号鍵を設定する機能を具備する構成を採る。
【００３２】
この構成によれば、当該アクセスポイントを異なるグループとして通信できるようになる。
【００３３】
本発明に係る無線携帯端末の通信制御情報設定システムは、上記の発明において、前記無線携帯端末は、充電ポートと通信ポートとを兼ねる第１の接合部を具備し、前記通信設定手段は、通信ネットワーク上に配置されるスイッチであって、前記通信ネットワークにアクセスする無線携帯端末に設定すべき通信制御情報を保持するとともに、載置された無線携帯端末の前記第１の接合部と接触接合する第２の接合部と、前記第２の接合部を介して前記無線携帯端末に充電する機能及び前記無線携帯端末と通信する機能とを有するアクセスポイントを収容し、前記無線携帯端末への通信制御情報の設定が終了した後は、前記アクセスポイントを介さずにアドホックモードによる通信を可能にするスイッチであるという構成を採る。
【００３４】
この構成によれば、インフラストラクチャモードでの通信カバーエリアを拡大することができる。
【発明の効果】
【００３５】
本発明によれば、無線携帯端末に必要となる通信前の通信制御情報の設定を、いつでも、どこでも、安全に、かつ簡単に行えるようになる。
【発明を実施するための最良の形態】
【００３６】
本発明の骨子は、無線ＬＡＮ携帯端末が一般の携帯電話器と同様に充電が必要となる点に着目し、無線ＬＡＮ携帯端末の充電開始をトリガとして、通信に使用したいネットワークで認証された場合にのみ各種の通信制御情報の自動設定を実行し、データ通信が可能となる仕組みを構築することである。この仕組みにより、ユーザは、充電操作という、いつでも、どこででも極めて簡単かつ確実に実行できる操作を行うのみで通信制御情報の設定が行える。また、認証されないユーザは通信できないことになるので、セキュリティの高さを確保することができる。
【００３７】
以下、本発明の実施の形態について図面を参照して詳細に説明する。
【００３８】
（実施の形態１）
図１は、本発明の実施の形態１に係る無線携帯端末の通信制御情報設定システムの構成を示すブロック図である。なお、本実施の形態１及び以降に示す各実施の形態では、無線携帯端末の一例として、無線ＬＡＮシステムにて用いる無線ＬＡＮ携帯端末を取り上げている。そして、その無線ＬＡＮ携帯端末を、ＷＬＡＮ端末を称している。
【００３９】
図１では、本発明による無線携帯端末の通信制御情報設定システムの基本構成が示されている。図１において、本発明による無線携帯端末の通信制御情報設定システムでは、ＷＬＡＮ端末１００と図示しないネットワーク上に配置される認証サーバ１１０との間に通信設定手段１２０を介在させている。通信設定手段１２０は、ＷＬＡＮ端末１００がアクセスするネットワークでの機器で構成され（図３、図４、図７参照）、それらの機器によって次のような機能を備えている。
【００４０】
即ち、通信設定手段１２０は、（１）ＷＬＡＮ端末１００を載置して支持させるだけで通信と充電とが行えるいわゆるクレードル（ｃｒａｄｌｅ）として機能する要素を含み、載置されたＷＬＡＮ端末１００に給電する機能と、（２）ＷＬＡＮ端末１００への給電開始をトリガとして、当該ＷＬＡＮ端末１００について認証を必要に応じて認証サーバ１１０を利用しつつ行う機能と、（３）認証を成功した場合にＷＬＡＮ端末１００が通信制御を行うのに必要な各種の通信制御情報を自動的にＷＬＡＮ端末１００に転送する機能と、（４）ＷＬＡＮ端末１００への通信制御情報の設定が終了した後、予め定めた一定時間が経過すると当該通信制御情報を削除する機能とを有している。
【００４１】
要するに、図１に示す無線携帯端末の通信制御情報設定システムでは、ＷＬＡＮ端末１００は、無線通信を行う前に通信設定手段１２０の設置支持台（クレードル）に載置して充電が開始されると、通信設定手段１２０にて、予め定めたユーザＩＤとパスワード（例えば個人情報管理カードなど）を使用して認証（ＩＥＥＥ８０２．１ｘなどを始めとする認証方法）し、成功した場合にＥＳＳＩＤや暗号鍵など、通信制御に必要な通信制御情報が自動的にＷＬＡＮ端末１００に転送する。そして、通信制御情報を設定した後は、一定時間が経過するとその設定した通信制御情報は削除するようになっている。
【００４２】
図２は、図１に示す無線ＬＡＮ携帯端末（ＷＬＡＮ端末）の構成を示すブロック図である。ＷＬＡＮ端末１００は、図２に示すように、通信処理の他に、認証処理を実施するＣＰＵ２０１と、通信設定手段１２０におけるクレードルとなる機器との接合部２０２とを備えている。
【００４３】
ＣＰＵ２０１には、内部バスを介して、ユーザ情報蓄積部２０３、操作ボタンを備える入力部２０４、液晶画面を備える表示部２０５、ＩＥＥＥ８０２．１１に準拠した無線通信処理を実施するＩＥＥＥ８０２．１１処理部２０６、通信制御情報を格納するメモリ２０７、データ転送処理部２０８などが接続されている。ＩＥＥＥ８０２．１１処理部２０６の入出力端には、無線部２０９が接続されている。
【００４４】
また、ＣＰＵ２０１には、電源制御部２１０が接続されている。電源制御部２１０は、接合部２０２に接続される機器から受電する充電池２１１の充電開始を検出してＣＰＵ２０１に通知するようになっている。さらに、ＣＰＵ２０１には、接続通知部２１２が接続されている。接続通知部２１２は、ＣＰＵ２０１が上記の充電開始通知を受けて発行する接続通知を接合部２０２に接続される機器に与える。また、データ転送処理部２０８は、ＣＰＵ２０１の制御下に接合部２０２に接続される機器との間でデータ転送処理を行うようになっている。
【００４５】
即ち、ＷＬＡＮ端末１００では、通信設定手段１２０の設置支持台（クレードル）に載置した状態で、通信制御情報の設定を行うことができ、またその後の通信処理を行うことができる。なお、ＷＬＡＮ端末１００では、認証を拒否された場合は、その旨の通知を受けるので、その拒否された旨を表示部２０５に表示し、ユーザに報知するようになっている。
【００４６】
通信制御情報としては、ここでは、現在の標準であるＩＥＥＥ８０２．１１にて示されている情報、主にビーコンフレームに多重されている情報を想定している。具体的には、アクセスポイントのＭＡＣアドレス、ＥＳＳＩＤ、フレーム制御情報、タイムスタンプ、ビーコン間隔、ケーパビリティ情報、リッスン間隔、サポートレート、トラフィック通知マップ、アソシエーションＩＤ、認証方法、無線通信チャネル、暗号方式、暗号鍵などが代表的な情報である。特に、ＥＳＳＩＤ、無線通信チャネル、暗号鍵などはユーザが設定することもある情報であり、アクセスポイントの情報を事前に調べるなど煩わしい要素である。それらを本実施の形態では、自動的に設定できるようにしている。
【００４７】
このように、実施の形態１によれば、ＷＬＡＮ端末は、無線通信を行う前に、単に充電操作という、いつでも、どこでも、簡単に行える操作だけで、通信制御情報を確実に自動設定することができる。この設定では、ＷＬＡＮ端末の接合部から直接的に入力され、電波による低セキュリティな設定ではないので、セキュリティの高さを確保することができる。
【００４８】
また、最近のアクセスポイントでは、セキュリティ面の問題から、ＥＳＳＩＤをビーコンフレームに多重せずに送信するため、ユーザが受信ビーコンから抽出したＥＳＳＩＤを検索できない。この問題に対して本実施の形態１によれば、ユーザがＥＳＳＩＤを設定したり、選択したりすることなく、通信前に認証を受けてその検索不能なＥＳＳＩＤを含む通信制御情報を自動的に設定できるので、容易に通信が行える。
【００４９】
そして、設定した通信制御情報を一定時間経過後に削除するので、ユーザが認証されたネットワーク以外では、定期的な更新をしない限り使用継続できないようになり、この点からもセキュリティの高さを確保することができる。
【００５０】
以下に、通信設定手段１２０の具体的な構成例を実施の形態として説明する。
【００５１】
（実施の形態２）
図３は、本発明の実施の形態２に係る無線携帯端末の通信制御情報設定システムの構成を示すブロック図である。本実施の形態２では、図１（実施の形態１）に示した通信設定手段１２０の具体的な構成例（その１）が示されている。
【００５２】
即ち、図３に示すように、本実施の形態２では、図１（実施の形態１）に示した通信設定手段１２０は、クレードルとしての充電機能付き支持台３０１と、ＬＡＮスイッチ装置３０２とで構成されている。
【００５３】
充電機能付き支持台３０１とＬＡＮスイッチ装置３０２との間はＬＡＮケーブルによって接続されている。ＬＡＮスイッチ装置３０２が接続される図示しないネットワーク上には、認証サーバ１１０が配置されている。なお、充電機能付き支持台３０１は、電源コンセントにケーブル接続して充電機能を実現してもよく、またＬＡＮスイッチ装置３０２からＬＡＮケーブルを利用したＰｏＥ（Power over Ethernet（登録商標））給電を受けて充電機能を実現してもよい。
【００５４】
この構成によれば、ＷＬＡＮ端末１００を充電するために充電機能付き支持台３０１につなぎ充電を開始すると、ＷＬＡＮ端末１００では充電開始に応答して接続通知を生成し充電機能付き支持台３０１との間の専用接合部（図２に示す接合部２０２）を通じてＬＡＮスイッチ装置３０２に発行する。そして、ＬＡＮスイッチ装置３０２による認証後、充電機能付き支持台３０１を経由したＬＡＮスイッチ装置３０２と図２に示すデータ転送処理部２０８との間の有線通信によってＷＬＡＮ端末１００に通信制御情報の転送が自動的に行われる。
【００５５】
（実施の形態３）
図４は、本発明の実施の形態３に係る無線携帯端末の通信制御情報設定システムの構成を示すブロック図である。本実施の形態３では、図１（実施の形態１）に示した通信設定手段１２０の具体的な構成例（その２）が示されている。
【００５６】
即ち、図４に示すように、本実施の形態３では、図１（実施の形態１）に示した通信設定手段１２０は、クレードルとしての無線ＬＡＮ設定ポート４０１と、無線ＬＡＮ制御スイッチ装置４０２とで構成されている。
【００５７】
無線ＬＡＮ設定ポート４０１と無線ＬＡＮ制御スイッチ装置４０２との間はＬＡＮケーブルによって接続されている。無線ＬＡＮ制御スイッチ装置４０２が接続される図示しないネットワーク上には認証サーバ１１０が配置されている。なお、無線ＬＡＮ制御スイッチ装置４０２には、アクセスポイント４１０がＬＡＮケーブルを介して接続されているが、このアクセスポイント４１０は、ＷＬＡＮ端末１００が通信制御情報の設定後にアクセスする一般のアクセスポイントである。ＷＬＡＮ端末１００の構成例は、前述したので（図２）、ここでは、無線ＬＡＮ設定ポート４０１と無線ＬＡＮ制御スイッチ装置４０２の構成例について説明する。なお、全体によって実現される通信制御情報の設定動作は、後述する実施の形態４にて詳述することとし、ここでの説明は割愛する。
【００５８】
図５は、図４に示す無線ＬＡＮ設定ポートの構成を示すブロック図である。無線ＬＡＮ設定ポート４０１は、図５に示すように、通信処理の他に給電制御処理を実施するＣＰＵ５０１と、ＷＬＡＮ端末１００との端末接合部５０２とを備えている。
【００５９】
ＣＰＵ５０１には、内部バスを介して、スイッチを備える入力部５０３、ＬＥＤランプを備える表示部５０４、ＩＥＥＥ８０２．１１に準拠した通信処理を実施するＩＥＥＥ８０２．１１処理部５０５、データ転送処理部５０６、ＩＥＥＥ８０２．３に準拠した伝送処理を実施するＩＥＥＥ８０２．３処理部５０７、通信制御情報を格納するメモリ５０８などが接続されている。ＩＥＥＥ８０２．１１処理部５０５の入出力端には、データ転送処理部５０６の一方の入出力端が接続されている。データ転送処理部５０６の他方の入出力端は、端末接合部５０２に接続されている。
【００６０】
また、無線ＬＡＮ制御スイッチ装置４０２との間に介在するＬＡＮケーブルが接続されるケーブルコネクタ５０９は、ＩＥＥＥ８０２．３処理部５０７の入出力端に接続されている。ＩＥＥＥ８０２．３処理部５０７の入出力端とケーブルコネクタ５０９との接続ラインには、受電部５１０の入力端が接続され、受電部５１０の出力端は、電源制御部５１１の入力端に接続されている。電源制御部５１１の入出力端は、ＣＰＵ５０１に接続され、出力端には、給電部５１２の入力端が接続されている。給電部５１２の出力端は、端末接合部５０２に接続されている。また、端末接合部５０２には接続検出部５１３が接続され、接続検出部５１３の出力端はＣＰＵ５０１に接続されている。
【００６１】
この無線ＬＡＮ設定ポート４０１は、アクセスポイントとは無線部を備えていない点が異なるのみで、その他の動作は、アクセスポイントと同様である。この意味で全体の動作説明は後述することとした。ここでは、要部を概略説明する。
【００６２】
即ち、受電部５１０が無線ＬＡＮ制御スイッチ装置４０２からＬＡＮケーブルを利用したＰｏＥ（Power over Ethernet（登録商標））給電を受けて各部に電源を供給して立ち上げ、電源制御部５１１に受電を通知する。ＣＰＵ５０１は、電源制御部５１１から受電開始の通知を受けると、起動した旨の通知を無線ＬＡＮ制御スイッチ装置４０２に対して発行する。
【００６３】
給電部５１２は、端末接合部５０２に給電を開始すると、その旨を電源制御部５１１に通知する。接続検出部５１３は、端末接合部５０２に接続通知信号がアサートされているか否かによって端末の接続有無を検出し、ＣＰＵ５０１に伝える。ＣＰＵ５０１は、電源制御部５１１から給電通知を受ける設定処理を開始し、端末の接続通知に含まれるユーザＩＤなどを無線ＬＡＮ制御スイッチ装置４０２に対して発行する。またＣＰＵ５０１は、接続検出部５１３から接続端末無しの通知を受けると、電源制御部５１１に指示を発行し給電部５１２の給電動作を停止させる。
【００６４】
つまり、ＷＬＡＮ端末１００の接合部２０２が端末接合部５０２と接触等によって電気的に接続されると、給電部５１２からＷＬＡＮ端末１００に対し給電が開始される。その後、ＣＰＵ５０１は、ＩＥＥＥ８０２．１１処理部５０５及びデータ転送処理部５０６を用いたＩＥＥＥ８０２．１１形式フレームによってＷＬＡＮ端末１００との間でのデータ伝送を行い、ＩＥＥＥ８０２．３処理部５０７を用いたＩＥＥＥ８０２．３形式フレームによって無線ＬＡＮ制御スイッチ装置４０２との間での情報伝送を行う。その過程でＷＬＡＮ端末１００に転送すべき通信制御情報がメモリ５０８に格納される。
【００６５】
次いで、図６は、図４に示す無線ＬＡＮ制御スイッチ装置の構成を示すブロック図である。無線ＬＡＮ制御スイッチ装置４０２は、図６に示すように、通信処理の他に、認証データ分析処理と給電制御処理とを実施するＣＰＵ６０１と、無線ＬＡＮ設定ポート４０１との間に介在するＬＡＮケーブルが接続されるケーブルコネクタ６０２とを備えている。
【００６６】
ＣＰＵ６０１には、内部バスを介して、スイッチを備える入力部６０３、ＬＥＤランプを備える表示部６０４、電源制御部６０５、ＩＥＥＥ８０２．３に準拠した伝送処理を実施するＩＥＥＥ８０２．３処理部６０６、端末制御情報とアクセスポイント（ＡＰ）制御情報とを格納するメモリ６０７、ＩＥＥＥ８０２．１１に準拠した通信処理を実施するＩＥＥＥ８０２．１１処理部６０８が接続されている。
【００６７】
ＩＥＥＥ８０２．３処理部６０６の入出力端は、ケーブルコネクタ６０２に接続されている。また、電源制御部６０５の出力端には、給電部６０９の入力端が接続され、給電部６０９の出力端は、ケーブルコネクタ６０２に接続されている。
【００６８】
この無線ＬＡＮ制御スイッチ装置４０２では、無線ＬＡＮ設定ポート４０１やアクセスポイントに対して給電部６０９からＬＡＮケーブルを利用したＰｏＥ（Power over Ethernet（登録商標））給電を行い、各装置を立ち上げ、ＬＡＮケーブルによる相互通信が可能な状態にする。この相互通信は、ＩＥＥＥ８０２．３処理部６０６によるＩＥＥＥ８０２．３形式フレームによって行われる。このとき、ＩＥＥＥ８０２．３形式フレームのデータには、ＩＥＥＥ８０２．１１形式フレームのデータがカプセル化されているので、ＩＥＥＥ８０２．１１処理部６０８が終端処理を行う。
【００６９】
この無線ＬＡＮ制御スイッチ装置４０２は、本実施の形態では、ＩＥＥＥ８０２．１ｘなどを始めとする認証方法を実施する認証機能（Authenticator）を有している。メモリ６０７には、当該システムに参加する全端末の通信制御情報が予め格納される。無線ＬＡＮ制御スイッチ装置４０２は、接続するＷＬＡＮ端末１００の認証が行えると、メモリ６０７から該当する通信制御情報を取り出し、今の例では無線ＬＡＮ設定ポート４０１に転送するようになっている。
【００７０】
図４では、一般のアクセスポイント４１０も示してあるので、その取り扱いを簡単に説明する。無線ＬＡＮ制御スイッチ装置４０２は、メモリ６０７に配下に属する全アクセスポイント（ＡＰ）の制御情報を保持し、アクセスポイント４１０と送受信するＩＥＥＥ８０２．１１形式フレームに多重されている制御情報の一部や、アクセスポイント４１０自身への設定情報、ステータス情報を多重して処理する。
【００７１】
（実施の形態４）
図７は、本発明の実施の形態４に係る無線携帯端末の通信制御情報設定システムの構成を示すブロック図である。本実施の形態４では、図１（実施の形態１）に示した通信設定手段１２０の具体的な構成例（その３）が示されている。
【００７２】
即ち、図７に示すように、本実施の形態４では、図１（実施の形態１）に示した通信設定手段１２０は、クレードルとしてのアクセスポイント７０１と、図４に示した無線ＬＡＮ制御スイッチ装置４０２とで構成されている。
【００７３】
アクセスポイント７０１と無線ＬＡＮ制御スイッチ装置４０２との間はＬＡＮケーブルによって接続されている。無線ＬＡＮ制御スイッチ装置４０２の構成例は、前述したので（図６）、ここでは、アクセスポイント７０１の構成例について説明する。
【００７４】
図８は、図７に示すアクセスポイントの構成を示すブロック図である。なお、図８では図５に示した構成要素と同一ないしは同等である要素には、同一の符号が付されている。即ち、図７に示すアクセスポイント７０１は、図８に示すように、図５に示した無線ＬＡＮ設定ポート４０１において、ＩＥＥＥ８０２．１１処理部５０５に無線部８０１を接続した構成になっている。
【００７５】
次に、図２に示した構成を持つＷＬＡＮ端末１００と、図６に示した構成を持つ無線ＬＡＮ制御スイッチ装置４０２と、図８に示した構成を持つアクセスポイント７０１とで構成される図７に示した通信制御情報設定システムの動作について、図９〜図１２を参照して説明する。図９は、アクセスポイントに載置したＷＬＡＮ端末に通信制御情報を設定する処理を説明するシーケンス図である。図１０〜図１２は、通信制御情報の設定後に行われる通信処理を説明するシーンス図である。
【００７６】
図９では、ＷＬＡＮ端末１００をＷＬＡＮ端末１と表記し、また、アクセスポイント７０１をＡＰ１と表記して説明する。また、図９では、無線ＬＡＮ制御スイッチ装置４０２は、認証機能（Authenticator）を持つとしている。この点に関し、アクセスポイント７０１が認証機能（Authenticator）を持つことも可能である。
【００７７】
図９において、ＡＰ１と無線ＬＡＮ制御スイッチ装置４０２との間をＬＡＮケーブルで接続し、ＡＰ１を介したインフラストラクチャモードによる無線ＬＡＮ通信が可能なルートを設定する。
【００７８】
無線ＬＡＮ制御スイッチ装置４０２は、ＬＡＮケーブルを利用したＰｏＥ給電によってＡＰ１に給電し、ＡＰ１を動作可能な状態にする（手順Ｔ９０１）。給電されたことを検出したＡＰ１は、無線ＬＡＮ制御スイッチ装置４０２に対して起動したことを通知するため、ＩＥＥＥ８０２．３形式フレームで「ＡＰ１接続通知情報」を転送する（手順Ｔ９０２）。これを受けて無線ＬＡＮ制御スイッチ装置４０２のＣＰＵ６０１は、ＡＰ１がインフラストラクチャモードにて無線通信ができるように、メモリ６０７を検索して「ＡＰ１用のＥＳＳＩＤ、無線通信チャネルなどの各種通信制御情報」を取り出しそれをＩＥＥＥ８０２．３処理部６０６に設定する（手順Ｔ９０３）。ＩＥＥＥ８０２．３処理部６０６は、ＡＰ１に対し、ＩＥＥＥ８０２．３形式フレームで「ＡＰ１用のＥＳＳＩＤ、無線通信チャネルなどの各種通信制御情報」を転送する（手順Ｔ９０４）。ＡＰ１では、ＣＰＵ５０１がＩＥＥＥ８０２．３処理部５０７から受け取った「ＡＰ１用のＥＳＳＩＤ、無線通信チャネルなどの各種の通信制御情報」をメモリ５０８に設定して通信可能状態に遷移し、ＷＬＡＮ端末からのアクセスを監視する（手順Ｔ９０５）。
【００７９】
ネットワークへのアクセスを企図するＷＬＡＮ端末１のユーザは、まず、ＷＬＡＮ端末１をクレードルとして機能するＡＰ１に載置する（手順Ｔ９０６）。するとＡＰ１では、給電部５１２から直流電力を端末接合部５０２、接合部２０２経由でＷＬＡＮ端末１の充電池２１１に送り込む動作が開始され（手順Ｔ９０７）、ＷＬＡＮ端末１では充電池２１１への充電が開始される（手順Ｔ９０８）。
【００８０】
ＷＬＡＮ端末１では、電源制御部２１０がこの充電開始を検出すると、その旨をＣＰＵ２０１に通知する。ＣＰＵ２０１は、充電開始の通知を受けて、ユーザＩＤやパスワードなど予め設定されている端末固有の識別情報を含む接続通知信号を生成し、接続通知部２１２に渡す。接続通知信号が接合部２０２、端末接合部５０２経由でＡＰ１に送られる（手順Ｔ９０９）。ＡＰ１の接続検出部５１３は、端末接合部５０２、接合部２０２経由で接続通知信号を検出すると、ＣＰＵ５０１に接続検出を通知する（手順Ｔ９１０）。
【００８１】
ＣＰＵ５０１は、この接続検出通知を受けて、データ転送処理部５０６に制御信号を出力して起動し、ＩＥＥＥ８０２．１１形式フレームで転送すべき端末接合部５０２を介して接続されたＷＬＡＮ端末１への通信データ及び制御データからなるBeacon（ビーコン）データをＡＰ−ＷＬＡＮ端末間専用のフォーマットによって生成し、それをデータ転送処理部５０６から端末接合部５０２、接合部２０２を経由してＷＬＡＮ端末１に送信する（手順Ｔ９１１）。
【００８２】
このとき、上記のように、ＡＰ１のＣＰＵ５０１にＷＬＡＮ端末１との接続検出が通知された後に、ＡＰ１内のＩＥＥＥ８０２．１１処理部５０５がＩＥＥＥ８０２．１１で規定されたBeaconデータを他無線ＬＡＮ端末宛に出力する場合は、他無線ＬＡＮ端末に対して無線部８０１を経由してＩＥＥＥ８０２．１１形式フレームにてデータを送信する。同時に、データ転送処理部５０６にてＩＥＥＥ８０２．１１規格のBeaconデータからＷＬＡＮ端末１に対して転送する情報要素群（このシーケンス段階ではＡＰ１のＭＡＣアドレス、タイムスタンプ、ビーコン間隔程度を転送し、ＥＳＳＩＤや通信チャネルなどは転送しない）を取り出し、それを端末接合部５０２、接合部２０２を経由してＷＬＡＮ端末１に転送する。
【００８３】
一方で、ＡＰ１は、ＣＰＵ５０１が端末毎に状態管理をするために、充電のために接続したＷＬＡＮ端末１との通信に関係なく、ＡＰ１と通信できる通信制御情報を設定済みの他ＷＬＡＮ端末との通信を継続する（手順Ｔ９１２）。この状態管理通信では、他無線ＬＡＮ端末−ＡＰ１間は、ＩＥＥＥ８０２．１１形式フレームで通信データを無線転送し、ＡＰ１−スイッチ間は、ＩＥＥＥ８０２．３形式フレームで通信データ及び無線情報を有線転送する。
【００８４】
さて、ＷＬＡＮ端末１側では、データ転送処理部２０８が接合部２０２から入力するBeaconデータ中の情報要素を取り出し、ＣＰＵ２０１に転送する。ＣＰＵ２０１は、Beaconデータ中の情報要素の受信に応答して、ＩＥＥＥ８０２．１１規格のAuthenticationフレームに多重されるべき情報要素（認証方法、ＷＬＡＮ端末１のＭＡＣアドレス）を生成し、その生成したAuthenticationデータをデータ転送処理部２０８から接合部２０２、端末接合部５０２を経由してＡＰ１に転送する（手順Ｔ９１３）。
【００８５】
ＡＰ１では、「Authenticationフレームに多重されるべき情報要素」がデータ転送処理部５０６を経由してＣＰＵ５０１に取り込まれる。すると、ＣＰＵ５０１は、受け取った「Authenticationデータに多重されるべき情報要素」をＩＥＥＥ８０２．１１規格のAuthenticationデータに変換してＩＥＥＥ８０２．３処理部５０７に渡す。ＩＥＥＥ８０２．３処理部５０７では、前記のAuthenticationデータをＩＥＥＥ８０２．３形式でカプセル化し、ケーブルコネクタ５０９経由で無線ＬＡＮ制御スイッチ装置４０２に転送する（手順Ｔ９１４）。
【００８６】
無線ＬＡＮスイッチ制御装置４０２では、ＩＥＥＥ８０２．３フレームに多重化されたAuthenticationデータがＩＥＥＥ８０２．３処理部６０６、ＣＰＵ６０１を経由して、ＩＥＥＥ８０２．１１処理部６０８に入力して終端する。ＣＰＵ６０１は、ＩＥＥＥ８０２．３フレーム形式で応答フレームを生成し、ＬＡＮケーブルを経由してＡＰ１に転送する（手順Ｔ９１５）。この際に、ＣＰＵ６０１は、ＷＬＡＮ端末１のＭＡＣアドレスなど端末制御情報をメモリ６０７に蓄積する。
【００８７】
ＡＰ１では、ＩＥＥＥ８０２．３処理部５０７がAuthentication情報要素を受け取り、ＣＰＵ５０１に渡す。ＣＰＵ５０１は、受け取ったAuthentication情報要素をデータ転送処理部５０６に渡す（手順Ｔ９１６）。これによって、無線ＬＡＮスイッチ制御装置４０２が送信した「Authentication情報要素」が端末接合部５０２、接合部２０１を経由してＷＬＡＮ端末１のデータ転送処理部２０８の取り込まれ、ＣＰＵ２０１に伝達される（手順Ｔ９１７）。
【００８８】
ＷＬＡＮ端末１のＣＰＵ２０１は、処理内容を確認すると、Association Requestデータを生成し、接合部２０１、端末接合部５０２を経由してＡＰ１のＣＰＵ５０１に伝達する（手順Ｔ９１８）。ＡＰ１のＣＰＵ５０１は、受け取ったAssociation RequestデータをＩＥＥＥ８０２．３処理部５０７に渡す。これによって、ＩＥＥＥ８０２．３形式のAssociation RequestデータがＬＡＮケーブルを介して無線ＬＡＮ制御スイッチ装置４０２に転送される（手順Ｔ９１９）。
【００８９】
無線ＬＡＮ制御スイッチ装置４０２のＩＥＥＥ８０２．３処理部６０６は、ＣＰＵ６０１の指示を受けてＩＥＥＥ８０２．３形式のAssociation Responseデータを生成し、ＬＡＮケーブルを介してＡＰ１に転送する（手順Ｔ９２０）。ＡＰ１のＣＰＵ５０１は、ＩＥＥＥ８０２．３形式のAssociation Responseデータを受け取ると、データ処理部５０６にAssociation Responseデータを渡し、端末接合部５０２、接合部２０２を経由してＷＬＡＮ端末１に転送させる（手順Ｔ９２１）。
【００９０】
ＷＬＡＮ端末１のＣＰＵ２０１は、Association Responseデータの受信を確認すると、ユーザ情報蓄積部２０３のユーザ情報（ユーザＩＤ、パスワードなど）を使用して認証処理を開始する。これによって、ＷＬＡＮ端末１と認証サーバ１１０との間で認証処理が行われる（手順Ｔ９２２）。認証方法は特に規定していない。
【００９１】
このとき、無線ＬＡＮ制御スイッチ装置４０２のＣＰＵ６０１では、一旦、ＷＬＡＮ端末１からの認証データを分析した上で、該当プロトコルを用いて認証サーバ１１０と通信を行う。
【００９２】
この認証処理で、ＷＬＡＮ端末１が認証されると、無線ＬＡＮ制御スイッチ装置４０２を経由して認証サーバ１１０からＡＰ１で必要となる暗号鍵の配布が行われる（手順Ｔ９２３）。暗号鍵配布シーケンスは特に規定していない。
【００９３】
ＡＰ１は、無線ＬＡＮ制御スイッチ装置４０２から配布された情報をもとに暗号鍵を生成するとともに、上記シーケンスで、ＷＬＡＮ端末１に転送していないＥＳＳＩＤ、通信チャネル、サポートレート、暗号鍵などの通信制御情報を、ＷＬＡＮ端末１に転送する（手順Ｔ９２４）。
【００９４】
ＷＬＡＮ端末１のＣＰＵ２０１は、ＡＰ１からの通信制御情報をメモリ２０７に更新・追加などを行って設定する（手順Ｔ９２５）。そして、ＣＰＵ２０１は、全ての情報設定及びＷＬＡＮ端末１として通信可能状態になったことを確認できると、通信制御情報の設定が完了した旨の通知をデータ転送処理部２０８から接合部２０２、端末接合部５０２を経由してＡＰ１のデータ転送処理部５０６に送出する（手順Ｔ９２６）。
【００９５】
このようにしてＷＬＡＮ端末１には、必要な通信制御情報が安全かつ全自動によって設定される。以上の説明から理解できるように、認証サーバ１１０を含むスイッチ側が認証機能（Authenticator）を持つ場合は、アクセスポイントに任意のＷＬＡＮ端末を接続することができる。また、アクセスポイントが認証機能（Authenticator）を持つ場合は、認証さえ成功すれば、新たなＥＳＳＩＤや暗号鍵を使用して違うグループ（ＥＳＳＩＤ）としても通信できるようになる。
【００９６】
次に、図１０〜図１２を参照して、通信制御情報の設定後に行われる通信処理について説明する。図１０は、通信制御情報の設定後にＷＬＡＮ端末をアクセスポイントから外さない状態で行われる通信処理を説明するシーンス図である。図１１は、通信制御情報の設定後にＷＬＡＮ端末をアクセスポイントから外した状態で行われる通信処理を説明するシーンス図である。図１２は、通信制御情報の設定後にＷＬＡＮ端末がアクセスポイント間を移動する状態で行われる通信処理を説明するシーンス図である。
【００９７】
図１０において、通信制御情報の設定シーケンス（手順Ｔ１００１）の終了後に、通信制御情報の設定を行ったＷＬＡＮ端末１がＡＰ１に載置された状態で、無線ＬＡＮ制御スイッチ装置４０２を介してネットワーク１００１に接続される有線端末１００２と通信する場合や、そのネットワーク１００１に接続されるアクセスポイントＡＰ２に無線接続するＷＬＡＮ端末２と通信する場合は、有線端末１００２やＷＬＡＮ端末２とＡＰ１との間では、ＩＥＥＥ８０２．３形式の通信データが授受される（手順Ｔ１００２）が、ＡＰ１とＷＬＡＮ端末１との間では、通信データのみが授受される（手順Ｔ１００３）。
【００９８】
図１１において、通信制御情報の設定シーケンス（手順Ｔ１００１）の終了後に、通信制御情報の設定を行ったＷＬＡＮ端末１がＡＰ１から外されると（手順Ｔ１１０２）、ＡＰ１では、アサートされていた接続通知信号が消失することからＷＬＡＮ端末１の接続解除を検出し、ＷＬＡＮ端末１への給電を停止する（手順Ｔ１１０３）。これに対し、ＷＬＡＮ端末１では、ＡＰ１からの給電が停止したタイミングでＷＬＡＮ端末１内の電源制御部２１０が給電停止を検出してＣＰＵ２０１に通知する。ＣＰＵ２０１は接続通知部２１２から出力している制御信号のアサートを解除する。
【００９９】
一方、ＡＰ１では、端末毎に状態管理をするために、ＷＬＡＮ端末１の接続継続有無とは関係なく、ＡＰ１と通信できる通信制御情報を設定済みの他ＷＬＡＮ端末との通信を継続する（手順Ｔ１１０４）。この状態管理通信では、他無線ＬＡＮ端末−ＡＰ１間は、ＩＥＥＥ８０２．１１形式フレームで通信データを無線転送し、ＡＰ１−スイッチ間は、ＩＥＥＥ８０２．３形式フレームで通信データ及び無線情報を有線転送する。
【０１００】
そして、通信制御情報の設定を行ったＷＬＡＮ端末１がＡＰ１から外されたがＷＬＡＮ端末１がＡＰ１の配下に居る状態において、無線ＬＡＮ制御スイッチ装置４０２を介してネットワーク１００１に接続される有線端末１００２と通信する場合や、そのネットワーク１００１に接続されるアクセスポイントＡＰ２に無線接続するＷＬＡＮ端末２と通信する場合は、有線端末１００２やＷＬＡＮ端末２とＡＰ１との間では、ＩＥＥＥ８０２．３形式の通信データが授受される（手順Ｔ１１０５）が、ＡＰ１とＷＬＡＮ端末１との間では、ＩＥＥＥ８０２．１１形式フレームで通信データが授受される（手順Ｔ１１０６）。
【０１０１】
図１２において、通信制御情報の設定シーケンス（手順Ｔ１００１）の終了後に、通信制御情報の設定を行ったＷＬＡＮ端末１がＡＰ１から外され、ＷＬＡＮ端末１がＡＰ１の配下から無線ＬＡＮ制御スイッチ装置４０２に接続される他のアクセスポイントＡＰ３に向かって移動すると、ＷＬＡＮ端末１では、ＡＰ１が送信しているＩＥＥＥ８０２．１１形式フレームのビーコン（Beacon）信号の受信電界強度が弱くなる（手順Ｔ１２０１、Ｔ１２０２）。
【０１０２】
一方、ＷＬＡＮ端末１では、ＡＰ３が送信しているＩＥＥＥ８０２．１１形式フレームのビーコン（Beacon）信号の受信電界強度が強くなる（手順Ｔ１２０３）ので、ハンドオーバーを実施するため、ＩＥＥＥ８０２．１１形式フレームの接続要求（Reassociation Request）をＡＰ３に向けて送信する（手順Ｔ１２０４）。ＡＰ３は、受け取ったＩＥＥＥ８０２．１１形式フレームの接続要求（Reassociation Request）をＩＥＥＥ８０２．３形式フレームの接続要求（Reassociation Request）に変換して無線ＬＡＮ制御スイッチ装置４０２に転送する（手順Ｔ１２０５）。
【０１０３】
これに対して無線ＬＡＮ制御スイッチ装置４０２では、ＷＬＡＮ端末１の認証と登録状況とを確認し、メモリ６０７に蓄積している端末制御情報及びＡＰ制御情報を更新する（手順Ｔ１２０６）。そして、ＩＥＥＥ８０２．３形式フレームの接続応答（ReassociationResponse）をＡＰ３に向けて返送する（手順Ｔ１２０７）。引き続いて、無線ＬＡＮ制御スイッチ装置４０２では、一定時間経過後に、ＡＰ１からＷＬＡＮ端末１の登録を削除し、ＡＰ３にＷＬＡＮ端末１を登録し、認証済みの処理である認証情報継承処理として暗号鍵などの通信制御情報を再設定する（手順Ｔ１２０８）。
【０１０４】
一方、ＩＥＥＥ８０２．３形式フレームの接続応答（Reassociation Response）を受け取ったＡＰ３では、ＩＥＥＥ８０２．１１形式フレームの接続応答（Reassociation Response）に変換してＷＬＡＮ端末１に転送する（手順Ｔ１２０９）。ＷＬＡＮ端末１では、受け取った接続応答（Reassociation Response）から同一ＥＳＳＩＤ、同一暗号鍵、ＡＰ３のＭＡＣアドレスのみを取り出して再登録する（手順Ｔ１２１０）。
【０１０５】
そして、ＡＰ３の配下に移動したＷＬＡＮ端末１が、無線ＬＡＮ制御スイッチ装置４０２を介してネットワーク１００１に接続される有線端末１００２と通信する場合や、そのネットワーク１００１に接続されるアクセスポイントＡＰ２に無線接続するＷＬＡＮ端末２と通信する場合は、有線端末１００２やＷＬＡＮ端末２とＡＰ１との間では、ＩＥＥＥ８０２．３形式の通信データが授受される（手順Ｔ１２１１）が、ＡＰ１とＷＬＡＮ端末１との間では、ＩＥＥＥ８０２．１１形式フレームで通信データが授受される（手順Ｔ１２１２）。
【０１０６】
なお、以上は、アクセスポイントが必要であるインフラストラクチャモードでの通信例であるが、スイッチにアクセスポイント機能を収容し、ＷＬＡＮ端末は、通信制御情報の設定シーケンスでは、インフラストラクチャモードでの無線通信を行うが、ＷＬＡＮ端末に通信制御情報を設定完了した時点で、アクセスポイントが不必要であるアドホックモードでの無線通信（ＩＥＥＥ８０２．１１による通信）を開始できるようにしてもよい。これによれば、インフラストラクチャモードでの通信カバーエリアを拡大することが可能となる。
【産業上の利用可能性】
【０１０７】
本発明は、セキュリティの高さを確保しつつ簡単かつ確実に通信制御情報を設定するのに好適である。
【図面の簡単な説明】
【０１０８】
【図１】本発明の実施の形態１に係る無線携帯端末の通信制御情報設定システムの構成を示すブロック図
【図２】図１に示す無線ＬＡＮ携帯端末（ＷＬＡＮ端末）の構成を示すブロック図
【図３】本発明の実施の形態２に係る無線携帯端末の通信制御情報設定システムの構成を示すブロック図
【図４】本発明の実施の形態３に係る無線携帯端末の通信制御情報設定システムの構成を示すブロック図
【図５】図４に示す無線ＬＡＮ設定ポートの構成を示すブロック図
【図６】図４に示す無線ＬＡＮ制御スイッチ装置の構成を示すブロック図
【図７】本発明の実施の形態４に係る無線携帯端末の通信制御情報設定システムの構成を示すブロック図
【図８】図７に示すアクセスポイントの構成を示すブロック図
【図９】アクセスポイントに載置したＷＬＡＮ端末に通信制御情報を設定する処理を説明するシーケンス図
【図１０】通信制御情報の設定後にＷＬＡＮ端末をアクセスポイントから外さない状態で行われる通信処理を説明するシーンス図
【図１１】通信制御情報の設定後にＷＬＡＮ端末をアクセスポイントから外した状態で行われる通信処理を説明するシーンス図
【図１２】通信制御情報の設定後にＷＬＡＮ端末がアクセスポイント間を移動する状態で行われる通信処理を説明するシーンス図
【図１３】無線ＬＡＮシステムの一般的な構成例を示すシステム図
【図１４】非特許文献１に示されるＡ．Ｏ．Ｓ．Ｓによる自動設定を説明するシーケンス図
【符号の説明】
【０１０９】
１００  無線携帯端末（ＷＬＡＮ端末）
１１０  認証サーバ
１２０  通信設定手段
２０１  ＣＰＵ
２０２  接合部
２０３  ユーザ情報蓄積部
２０４  入力部（ボタン）
２０５  表示部（液晶画面）
２０６  ＩＥＥＥ８０２．１１処理部
２０７  メモリ
２０８  データ転送処理部
２０９  無線部
２１０  電源制御部
２１１  充電池
２１２  接続通知部
３０１  充電機能付き支持台
３０２  ＬＡＮスイッチ装置
４０１  無線ＬＡＮ設定ポート
４０２  無線ＬＡＮ制御スイッチ装置
４１０  アクセスポイント
５０１  ＣＰＵ
５０２  端末接合部
５０３  入力部（スイッチ）
５０４  表示部（ＬＥＤ）
５０５  ＩＥＥＥ８０２．１１処理部
５０６  データ転送処理部
５０７  ＩＥＥＥ８０２．３処理部
５０８  メモリ
５０９  ケーブルコネクタ
５１０  受電部
５１１  電源制御部
５１２  給電部
５１３  接続検出部
６０１  ＣＰＵ
６０２  ケーブルコネクタ
６０３  入力部（スイッチ）
６０４  表示部（ＬＥＤ）
６０５  電源制御部
６０６  ＩＥＥＥ８０２．３処理部
６０７  メモリ
６０８  ＩＥＥＥ８０２．１１処理部
６０９  給電部
７０１  アクセスポイント
８０１  無線部
【図１】
2006135874.tif 000003
【図２】
2006135874.tif 000004
【図３】
2006135874.tif 000005
【図４】
2006135874.tif 000006
【図５】
2006135874.tif 000007
【図６】
2006135874.tif 000008
【図７】
2006135874.tif 000009
【図８】
2006135874.tif 000010
【図９】
2006135874.tif 000011
【図１０】
2006135874.tif 000012
【図１１】
2006135874.tif 000013
【図１２】
2006135874.tif 000014
【図１３】
2006135874.tif 000015
【図１４】
2006135874.tif 000016